(57)【要約】【課題】各住戸で利用される利用者カードへの情報登録作業の手間を省く。【解決手段】各住戸の専有部カードロック３に付属されるロックカード４には、専有部カードロック３に記憶されるロックＩＤと同一のロックＩＤが記憶される。共用部カードロック２は、専有部の住戸ナンバーを指定してロックカード４からロックＩＤを読み取り、読み取ったロックＩＤが登録済でなければ、読み取ったロックＩＤを住戸ナンバーと対応付けて記憶し、住戸ナンバーの住戸で利用される利用者カード５から読み取った情報に記憶したロックＩＤが書き込まれていなければ、そのロックＩＤを利用者カード５に書き込む。【選択図】図１
2014173292.tif 000002
【特許請求の範囲】
【請求項１】
予めカードに記憶された情報を正常認証したときのみ解錠／施錠するカード式電気錠として、建物の共用部に配設される共用部カードロックと、前記建物の専有部に配設され、自身を特定するロックＩＤが記憶された専有部カードロックとを備え、
前記建物の各住戸の利用者に発行される利用者カードと、
前記専有部カードロックに記憶されるロックＩＤと同一のロックＩＤが記憶されたロックカードとを用いる電気錠システムであって、
前記共用部カードロックは、前記住戸を特定する住戸ナンバーを指定して前記ロックカードからロックＩＤを読み取り、読み取ったロックＩＤが他の住戸に登録済でないときに、前記読み取ったロックＩＤを前記住戸ナンバーと対応付けて記憶し、前記住戸ナンバーの住戸で利用される利用者カードから読み取った情報に前記記憶したロックＩＤが書き込まれていないときに、前記ロックＩＤを当該利用者カードに書き込むことを特徴とする電気錠システム。
【請求項２】
前記専有部カードロックは、自身が記憶するロックＩＤと前記ロックカードから読み取ったロックＩＤとが一致し、かつ前記利用者カードから読み取った情報に前記ロックＩＤが書き込まれていないときに、該ロックＩＤを前記利用者カードに書き込むことを特徴とする請求項１記載の電気錠システム。
【請求項３】
前記専有部カードロックは、自身が記憶するロックＩＤと前記ロックカード及び前記利用者カードからそれぞれ読み取ったロックＩＤとが一致したときに、前記自身が記憶するロックＩＤの追番と前記利用者カードから読み取ったロックＩＤの追番との関係に応じて前記自身が記憶するロックＩＤの追番や前記利用者カードが記憶するロックＩＤの追番を更新することを特徴とする請求項１又は２記載の電気錠システム。
【請求項４】
前記共用部カードロック及び前記専有部カードロックは、自身が記憶するロックＩＤと前記利用者カードから読み取ったロックＩＤとが一致し、かつ追番が一致したときに、自身の錠前を解錠することを特徴とする請求項１〜３の何れかに記載の電気錠システム。
【請求項５】
前記共用部カードロックは、自身が記憶するロックＩＤの追番よりも前記利用者カードのロックＩＤの追番が大きいときに、前記自身が記憶するロックＩＤの追番が前記利用者カードの追番と同じになるようにロックＩＤの追番を更新することを特徴とする請求項４記載の電気錠システム。
【発明の詳細な説明】
【技術分野】
【０００１】
本発明は、例えば集合住宅、テナントビルなどの建物の専有部や共用部に採用され、システム利用者に発行されるカードのＩＤ情報の認証結果に基づいてカードロックの解錠／施錠を制御する電気錠システムに関するものである。
【背景技術】
【０００２】
例えば集合住宅、テナントビルなどの建物において、ユニークなＩＤが書き込まれた非接触カードなどを利用し、共用部である共用エントランスにカードロックを配設したり、各住戸の専有部である玄関扉にカードロックを配設して自動化を図った電気錠システムが従来より知られている。
【０００３】
この種の電気錠システムとしては、（１）共用部に配設される共用部カードロックと専有部に配設される専有部カードロックとが全て有線や無線で接続され、ＩＤをパソコンなどの管理端末装置で一括管理（登録／抹消）するシステム、（２）共用部に配設される共用部カードロックと専有部に配設される専有部カードロックとが有線や無線で接続されておらず、共用部カードロックと専有部カードロック各々の機器でＩＤを個別管理（登録／抹消）するシステムが知られている。
【０００４】
また、下記特許文献１に開示される電気錠システムでは、建物の利用者が使用する利用者用カードのカード情報を各住戸の専有部カードロックに必要枚数分だけ登録し、その登録した必要枚数分のカード情報を管理者が所有する管理用カードに一旦記憶させ、この管理用カードに記憶させたカード情報を共用部カードロックに一括登録している。
【先行技術文献】
【特許文献】
【０００５】
【特許文献１】特開２００６−２４１８８９号公報
【発明の概要】
【発明が解決しようとする課題】
【０００６】
ところで、上述した従来技術における（１）の電気錠システムでは、ＩＤ情報を一括管理できるというメリットがある反面、全ての機器を有線や無線で接続する必要があり、システム導入に高いコストがかかるというデメリットがあった。また、（１）の電気錠システムや特許文献１の電気錠システムでは、ＩＤ情報の一括管理を行うため、利用者が非接触カードなどを紛失した場合、利用者自身によるＩＤ情報の登録／抹消作業が行えず、その都度管理者（専門業者）に作業を依頼する必要があった。
【０００７】
また、上述した従来技術における（２）の電気錠システムや特許文献１の電気錠システムでは、全ての機器を有線や無線で接続する必要がないため、システム導入コストを抑えられるというメリットがある反面、共用部と各専有部で個々にＩＤ情報を管理（登録／抹消）しなければならないというデメリットがあった。また、利用者が非接触カードなどを紛失した場合には、各専有部において利用者自身の操作により登録／抹消作業を行うことはできても、共用部では登録／抹消作業を行うことができないため、最終的には都度管理者（専門業者）に作業を依頼する必要があった。
【０００８】
そこで、本発明は上記問題点に鑑みてなされたものであり、各住戸で利用される利用者カードへの情報登録作業の手間が省け、また、カードの紛失や追加の都度管理者に作業を依頼する必要がない電気錠システムを提供することを目的とするものである。
【課題を解決するための手段】
【０００９】
上記した目的を達成するために、請求項１に記載された電気錠システムは、予めカードに記憶された情報を正常認証したときのみ解錠／施錠するカード式電気錠として、建物の共用部に配設される共用部カードロックと、前記建物の専有部に配設され、自身を特定するロックＩＤが記憶された専有部カードロックとを備え、
前記建物の各住戸の利用者に発行される利用者カードと、
前記専有部カードロックに記憶されるロックＩＤと同一のロックＩＤが記憶されたロックカードとを用いる電気錠システムであって、
前記共用部カードロックは、前記住戸を特定する住戸ナンバーを指定して前記ロックカードからロックＩＤを読み取り、読み取ったロックＩＤが他の住戸に登録済でないときに、前記読み取ったロックＩＤを前記住戸ナンバーと対応付けて記憶し、前記住戸ナンバーの住戸で利用される利用者カードから読み取った情報に前記記憶したロックＩＤが書き込まれていないときに、前記ロックＩＤを当該利用者カードに書き込むことを特徴とする。
【００１０】
請求項２に記載された電気錠システムは、請求項１の電気錠システムにおいて、
前記専有部カードロックは、自身が記憶するロックＩＤと前記ロックカードから読み取ったロックＩＤとが一致し、かつ前記利用者カードから読み取った情報に前記ロックＩＤが書き込まれていないときに、該ロックＩＤを前記利用者カードに書き込むことを特徴とする。
【００１１】
請求項３に記載された電気錠システムは、請求項１又は２の電気錠システムにおいて、
前記専有部カードロックは、自身が記憶するロックＩＤと前記ロックカード及び前記利用者カードからそれぞれ読み取ったロックＩＤとが一致したときに、前記自身が記憶するロックＩＤの追番と前記利用者カードから読み取ったロックＩＤの追番との関係に応じて前記自身が記憶するロックＩＤの追番や前記利用者カードが記憶するロックＩＤの追番を更新することを特徴とする。
【００１２】
請求項４に記載された電気錠システムは、請求項１〜３の何れかの電気錠システムにおいて、
前記共用部カードロック及び前記専有部カードロックは、自身が記憶するロックＩＤと前記利用者カードから読み取ったロックＩＤとが一致し、かつ追番が一致したときに、自身の錠前を解錠することを特徴とする。
【００１３】
請求項５に記載された電気錠システムは、請求項４の電気錠システムにおいて、
前記共用部カードロックは、自身が記憶するロックＩＤの追番よりも前記利用者カードのロックＩＤの追番が大きいときに、前記自身が記憶するロックＩＤの追番が前記利用者カードの追番と同じになるようにロックＩＤの追番を更新することを特徴とする。
【発明の効果】
【００１４】
本発明によれば、システム導入時に、施工者が各住戸に出向いて専有部カードロック毎に利用者カードのＩＤ情報を登録して回る作業が無くなり、情報登録作業の手間が省け、共用部カードロックでＩＤ情報を一括管理することができる。
【００１５】
また、システム導入後、ロックカードを各住戸毎に配布することにより、利用者が利用者カードを紛失した場合や利用者カードを新たに追加した場合に、利用者自身による紛失カードの無効化や利用者カードの追加が可能になり、その都度管理者（専門業者）に作業を依頼する手間を省くことができる。
【図面の簡単な説明】
【００１６】
【図１】本発明に係る電気錠システムの概略構成を示すブロック図である。
【図２】本発明に係る電気錠システムの共用部カードロックのロックＩＤの登録処理に関するフローチャートである。
【図３】本発明に係る電気錠システムにおいてロックカードによる専有部カードロック及び入居者カードのロックＩＤシーケンス更新処理に関するフローチャートである。
【図４】図３に続くロックＩＤシーケンス更新処理に関するフローチャートである。
【図５】本発明に係る電気錠システムの共用部カードロック及び専有部カードロックにおける入居者カードの認証処理に関するフローチャートである。
【図６】本発明に係る電気錠システムの専有部カードロックによる入居者カードの追加発行処理に関するフローチャートである。
【発明を実施するための形態】
【００１７】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などはすべて本発明の範疇に含まれる。
【００１８】
本発明に係る電気錠システムは、例えば集合住宅、テナントビルなどの各種建物の専有部や共用部に採用され、システム利用者に発行して手渡されるカードのＩＤ情報の認証結果に基づいてカードロックの解錠／施錠を制御するものである。
【００１９】
特に、本発明に係る電気錠システムは、従来技術で説明した（２）のスタンドアローンのシステムにおいて、専用カードを用いたＩＤ情報の一括管理および利用者自身による登録／抹消を行う機能を有している。以下、本発明に係る電気錠システムを集合住宅に採用した場合を例にとって説明する。
【００２０】
図１に示すように、本例の電気錠システム１は、予めカードに記憶された情報を正常認証したときのみ解錠又は施錠するカード式電気錠として、集合住宅の共用部である共用エントランスに配設される共用部カードロック２と、各住戸の専有部である玄関扉に配設される専有部カードロック３とを備えて構築される。
【００２１】
尚、図１の例では、１つの共用部カードロック２と２つの専有部カードロック３とを図示しているが、その数が限定されるものではない。また、共用部カードロック２と専有部カードロック３とは、有線や無線で接続されず、システム利用者に発行されるカードのＩＤ情報（ロックＩＤ）の認証結果に基づいて各々独立して自身の錠前を解錠（又は施錠）制御している。
【００２２】
まず、電気錠システム１に用いられるカードについて説明する。電気錠システム１に用いられるカードは、例えば磁気カード、ＩＣカード、非接触ＩＣチップ内蔵カードなどで構成され、ロックカード４と利用者カード５がある。
【００２３】
ロックカード４は、各住戸の専有部カードロック３に付属して設けられる専用カードであり、システム導入後に各住戸毎に１枚ずつ配布される。ロックカード４には、専有部カードロック３のロックＩＤと同じＩＤが書き込まれるメモリ領域を有する記憶部４ａを備えている。
【００２４】
尚、ロックＩＤは、専有部カードロック３を特定する固有情報であり、例えば工場出荷時に専有部カードロック３毎に異なる製造番号などのユニークなＩＤが記憶部４ａのメモリ領域に書き込まれる。また、ロックＩＤには、ロックＩＤの登録の新旧状態の順番を示す追番がロックＩＤシーケンスとして付加されている。
【００２５】
利用者カード５は、電気錠システム１の利用を許可された利用者が所持するカードであり、各住戸毎に必要枚数分だけ発行される。利用者カード５には、電気錠システム１を運用する際に、使用可能な専有部カードロック３のロックＩＤを書き込むためのメモリ領域を有する記憶部５ａを備えている。
【００２６】
尚、ロックＩＤには、ロックＩＤの登録の新旧状態の順番を示す追番がロックＩＤシーケンスとして付加される。また、電気錠システム１で履歴管理する場合には、ロックＩＤシーケンスの追番に枝番が付加される。
【００２７】
利用者カード５は、常にロックＩＤシーケンスの追番が一番新しいカードしか使用できず、後述する「ロックＩＤシーケンス更新処理」により更新された場合は、それ以前に使用されていた利用者カード５が使用不可になる。
【００２８】
共用部カードロック２は、集合住宅の共用部である共用エントランスに配設され、リーダー／ライター部２ａ、操作部２ｂ、記憶部２ｃ、制御部２ｄを備えている。
【００２９】
リーダー／ライター部２ａは、後述するロックＩＤ登録処理時やロックＩＤシーケンス更新処理時に、各住戸毎に用意されるロックカード４や各住戸毎に用意される利用者カード５からロックＩＤ（ロックＩＤシーケンスの追番、枝番を含む）を読み取っている。そして、リーダー／ライター部２ａは、ロックＩＤ登録処理時において、事前登録されたロックＩＤを利用者カード５に任意に書き込んでいる。また、リーダー／ライター部２ａは、ロックＩＤシーケンス更新処理時において、利用者カード５や自身の共用部カードロック２の記憶部２ｃに対し、必要に応じてロックＩＤシーケンスを更新するべく情報を書き込んでいる。さらに、リーダー／ライター部２ａは、後述する利用者カード認証処理時に、利用者カード５からロックＩＤ（ロックＩＤシーケンスの追番や枝番を含む）を読み取っている。
【００３０】
操作部２ｂは、例えばキー、ボタン、スイッチ、表示器などを備えた操作パネルで構成される。操作部２ｂは、後述するロックＩＤ登録処理の開始操作や完了操作、ロックＩＤ登録処理時の登録住戸ナンバーの指定、ロックＩＤシーケンス更新処理の開始操作や完了操作などの指示を行うべく操作入力される。
【００３１】
記憶部２ｃは、例えば磁気的、光学的記憶媒体若しくはＲＯＭ，ＲＡＭなどの半導体メモリで構成される。記憶部２ｃは、電気錠システム１を運用するにあたって、各住戸毎の専有部カードロック３とロックＩＤとを１対１に対応付けて記憶するためのメモリ領域を有している。
【００３２】
制御部２ｄは、例えばＲＯＭ，ＲＡＭ，ＣＰＵなどを有するマイクロコンピュータなどで構成され、リーダー／ライター部２ａ、操作部２ｂ、記憶部２ｃを統括制御し、後述する「ロックＩＤ登録処理」、「利用者カード認証処理」において、ロックカード４のロックＩＤや利用者カード５の情報（ロックＩＤを含む）の読み取り、利用者カード５へのロックＩＤの書き込み、ロックカード４から読み取ったロックＩＤが他の住戸ナンバーに既に登録済か否かの判別、利用者カード５から読み取った情報にロックＩＤが既に書き込み済か否かの判別、利用者カード５と共用部カードロック２の追番の関係判別、共用部カードロックのロックＩＤシーケンスの追番の更新処理、共用部カードロック２の錠前の解錠などを行っている。
【００３３】
なお、図示はしないが、共用部カードロック２は、例えばモータやソレノイドなどの駆動装置と錠前で構成される駆動機構を有しており、記憶部２ｃに記憶されたロックＩＤと一致するロックＩＤを利用者カード５から読み取った際に、制御部２ｄからの解錠制御信号（又は施錠制御信号）により錠前が解錠（又は施錠）制御される。
【００３４】
また、共用部カードロック２は、それぞれ分離したリーダ／ライター、コントローラ、管理パソコンなどを接続して構成される場合もある。
【００３５】
専有部カードロック３は、各住戸の専有部である玄関扉に配設され、リーダー／ライター部３ａ、操作部３ｂ、記憶部３ｃ、制御部３ｄを備えている。
【００３６】
リーダー／ライター部３ａは、ロックＩＤシーケンス更新処理時に、ロックカード４や利用者カード５からロックＩＤ（ロックＩＤシーケンスの追番や枝番を含む）を読み取っている。そして、リーダー／ライター部２ａは、ロックＩＤシーケンス更新処理時において、利用者カード５や自身の専有部カードロック３の記憶部３ｃに対し、必要に応じてロックＩＤシーケンスを更新するべく情報を書き込んでいる。また、リーダー／ライター部３ａは、後述する利用者カード認証処理時に、利用者カード５からロックＩＤ（ロックＩＤシーケンスの追番や枝番を含む）を読み取っている。さらに、リーダー／ライター部３ａは、利用者カード追加発行処理時に、ロックカード４からロックＩＤを読み取っている。そして、リーダー／ライター部３ａは、利用者カード追加発行処理時に、追加発行される利用者カードに対し、ロックＩＤやロックＩＤシーケンスを書き込んでいる。
【００３７】
操作部３ｂは、例えばキー、ボタン、スイッチ、表示器などを備えた操作パネルから構成される。操作部３ｂは、後述するロックＩＤシーケンス更新処理の開始操作や完了操作、利用者カード追加発行処理の開始操作や完了操作などの指示を行うべく操作入力される。
【００３８】
記憶部３ｃは、例えば磁気的、光学的記憶媒体若しくはＲＯＭ，ＲＡＭなどの半導体メモリで構成され、ロックＩＤを記憶している。このロックＩＤは、工場出荷時に、専有部カードロック３を特定する固有情報として記憶部３ｃに書き込まれるものである。専有部カードロック３を特定する固有情報は、専有部カードロック３毎に異なる製造番号などのユニークなＩＤとして付与される。
【００３９】
制御部３ｄは、例えばＲＯＭ，ＲＡＭ，ＣＰＵなどを有するマイクロコンピュータなどで構成され、リーダー／ライター部３ａ、操作部３ｂ、記憶部３ｃを統括制御し、後述する「ロックＩＤシーケンス更新処理」、「利用者カード認証処理」、「利用者カード追加発行処理」において、ロックカード４のロックＩＤや利用者カード５の情報（ロックＩＤを含む）の読み取り、利用者カード５と専有部カードロック３のロックＩＤシーケンスの追番の関係の判別、利用者カード５や専有部カードロック３のロックＩＤシーケンスの追番の更新処理、専有部カードロック３の錠前の解錠などを行っている。
【００４０】
なお、図示はしないが、専有部カードロック３は、共用部カードロック２と同様に、例えばモータやソレノイドなどの駆動装置と錠前で構成される駆動機構を有しており、記憶部３ｃに記憶されたロックＩＤと一致するロックＩＤを利用者カード５から読み取った際に、制御部３ｄからの解錠制御信号（又は施錠制御信号）により錠前が解錠（又は施錠）制御される。
【００４１】
また、上述した共用部カードロック２や専有部カードロック３には、例えば商用電源（ＡＣ１００Ｖ）の外部電源から通電金具を介して、又は錠前や化粧板（エスカチオン）に着脱可能に設けられる電池から各部の駆動に必要な電源を供給することができる。
【００４２】
次に、上記のように構成される電気錠システム１の動作について説明する。電気錠システム１を集合住宅に導入して運用する際、共用部カードロック２において図２のロックＩＤ登録処理を実行する。以下、ロックＩＤ登録処理の手順について図２を参照しながら説明する。
【００４３】
（ロックＩＤ登録処理）
まず、操作部２ｂにより「ロックＩＤ登録処理」を開始操作する（ＳＴ１）。続いて、操作部２ｂの操作入力によってロックＩＤを登録する住戸ナンバーを指定する（ＳＴ２）。
【００４４】
次に、リーダー／ライター部２ａは、ロックカード４が翳されると、そのロックカード４からロックＩＤを読み取る（ＳＴ３）。そして、制御部２ｄは、リーダー／ライター部２ａがロックカード４から読み取ったロックＩＤが他の住戸ナンバーと対応付けて記憶部２ｄに既に登録済か否かを判別する（ＳＴ４）。
【００４５】
制御部２ｄは、ロックカード４から読み取ったロックＩＤが他の住戸ナンバーと対応付けて記憶部２ｄに既に登録済ではないと判断すると、そのロックＩＤを指定された住戸ナンバーと対応付けて記憶部２ｄに記憶し（ＳＴ５）、共用部カードロック２にロックＩＤを新規登録する。これに対し、制御部２ｄは、ロックカード４から読み取ったロックＩＤが他の住戸ナンバーと対応付けて記憶部２ｄに既に登録済であると判断すると、処理を終了する。
【００４６】
続いて、リーダー／ライター部２ａは、利用者カード５が翳されると、その利用者カード５から情報を読み取る（ＳＴ６）。そして、制御部２ｄは、リーダー／ライター部２ａが利用者カード５から読み取った情報にロックＩＤが既に書き込み済か否かを判別する（ＳＴ７）。
【００４７】
制御部２ｄは、利用者カード５から読み取った情報にロックＩＤが既に書き込み済であると判断すると、ＳＴ９に移行する。これに対し、制御部２ｄは、利用者カード５から読み取った情報にロックＩＤが既に書き込み済ではないと判断すると、指定された住戸ナンバーのロックＩＤをリーダー／ライター部２ａにより記憶部２ｃから読み出して利用者カード５に書き込む（ＳＴ８）。このとき、ロックＩＤシーケンスの追番に＋１を付加する。尚、電気錠システム１で履歴管理したい場合には、ロックＩＤシーケンスの追番に枝番を付加する。
【００４８】
そして、続けて他の利用者カード５を登録する場合には（ＳＴ９−Ｙｅｓ）、ＳＴ６の処理に戻る。これに対し、続けて他の利用者カードを登録しない場合には（ＳＴ９−Ｎｏ）、操作部２ｂにより「ロックＩＤ登録処理」を完了操作する（ＳＴ１０）。
【００４９】
次に、ロックカードを用いて専有部カードロック２と利用者カードにおけるロックＩＤシーケンス更新処理の動作について図３及び図４を参照しながら説明する。尚、図３及び図４におけるカードロックとは、専有部カードロック３を示すものである。
【００５０】
（ロックＩＤシーケンス更新処理）
まず、操作部３ｂにより「ロックＩＤシーケンス更新処理」を開始操作する（ＳＴ１１）。続いて、リーダー／ライター部３ａは、ロックカード４が翳されると、そのロックカード４からロックＩＤを読み取る（ＳＴ１２）。そして、制御部３ｄは、ロックカード４から読み取ったロックＩＤが記憶部３ｃのロックＩＤと一致するか否かを判別する（ＳＴ１３）。
【００５１】
制御部３ｄは、ロックカード４から読み取ったロックＩＤが記憶部３ｃのロックＩＤと一致しないと判断すると、処理を終了する。これに対し、制御部３ｄは、ロックカード４から読み取ったロックＩＤが記憶部３ｃのロックＩＤと一致すると判断すると、リーダー／ライター部３ａにより利用者カード５からロックＩＤを読み取る（ＳＴ１４）。
【００５２】
次に、制御部３ｄは、リーダー／ライター部３ａが利用者カード５から読み取ったロックＩＤが記憶部３ｃのロックＩＤと一致するか否かを判別する（ＳＴ１５）。制御部３ｄは、利用者カード５から読み取ったロックＩＤが記憶部３ｃのロックＩＤと一致しないと判断すると、ＳＴ２０に移行する。これに対し、制御部３ｄは、利用者カード５から読み取ったロックＩＤが記憶部３ｃのロックＩＤと一致すると判断すると、利用者カード５のロックＩＤシーケンスの追番と専有部カードロック３のロックＩＤシーケンスの追番との関係を判別する（ＳＴ１６）。
【００５３】
制御部３ｄは、利用者カード５のロックＩＤシーケンスの追番＝専有部カードロック３のロックＩＤシーケンスの追番であると判断すると、利用者カード５及び専有部カードロック３のロックＩＤシーケンスをそれぞれ＋１して利用者カード５のロックＩＤシーケンスの追番＋１＝専有部カードロック３のロックＩＤシーケンスの追番＋１とし、利用者カード５内及び専有部カードロック３内のロックＩＤシーケンスを更新する（ＳＴ１７）。
【００５４】
制御部３ｄは、利用者カード５のロックＩＤシーケンスの追番＜専有部カードロック３のロックＩＤシーケンスの追番であると判断すると、利用者カード５のロックＩＤシーケンスの追番＋α（αは任意の自然数）＝専有部カードロック３のロックＩＤシーケンスの追番とし、利用者カード５のロックＩＤシーケンスの追番が専有部カードロック３のロックＩＤシーケンスの追番と同じになるように、利用者カード５内のロックＩＤシーケンスを更新する（ＳＴ１８）。
【００５５】
制御部３ｄは、例えば専有部カードロック３の交換などがあり、利用者カード５のロックＩＤシーケンスの追番＞専有部カードロック３のロックＩＤシーケンスの追番であると判断すると、専有部カードロック３のロックＩＤシーケンスの追番が利用者カード５のロックＩＤシーケンスの追番に＋１した追番と同じになるように、利用者カード５のロックＩＤシーケンスの追番＋１＝専有部カードロック３のロックＩＤシーケンスの追番＋α（αは任意の自然数）とし、利用者カード５内及び専有部カードロック３内のロックＩＤシーケンス更新する（ＳＴ１９）
【００５６】
そして、続けて他の利用者カード５を更新する場合には（ＳＴ２０−Ｙｅｓ）、リーダー／ライター部３ａが利用者カード５からロックＩＤを読み取る（ＳＴ２１）。これに対し、続けて他の利用者カード５を更新しない場合には（ＳＴ２０−Ｎｏ）、操作部３ｂにより「ロックＩＤシーケンス更新処理」を完了操作する（ＳＴ２８）。
【００５７】
次に、制御部３ｄは、リーダー／ライター部３ａが利用者カード５から読み取ったロックＩＤが記憶部３ｃのロックＩＤと一致するか否かを判別する（ＳＴ２２）。制御部３ｄは、利用者カード５から読み取ったロックＩＤが記憶部３ｃのロックＩＤと一致しないと判断すると、ＳＴ２７に移行する。これに対し、制御部３ｄは、利用者カード５から読み取ったロックＩＤが記憶部３ｃのロックＩＤと一致すると判断すると、利用者カード５のロックＩＤシーケンスの追番と専有部カードロック３のロックＩＤシーケンスの追番との関係を判別する（ＳＴ２３）
【００５８】
制御部３ｄは、利用者カード５のロックＩＤシーケンスの追番＝専有部カードロック３のロックＩＤシーケンスの追番であると判断すると（通常は発生しない誤った操作）、利用者カード５のロックＩＤシーケンスの追番＝専有部カードロック３のロックＩＤシーケンスの追番のままロックＩＤシーケンスの更新を行わず（ＳＴ２４）、例えば表示やブザーなどで誤操作を告知する。
【００５９】
制御部３ｄは、利用者カード５のロックＩＤシーケンスの追番＜専有部カードロック３のロックＩＤシーケンスの追番であると判断すると、利用者カード５のロックＩＤシーケンスの追番＋α（αは任意の自然数）＝専有部カードロック３のロックＩＤシーケンスの追番とし、利用者カード５のロックＩＤシーケンスの追番が専有部カードロック３のロックＩＤシーケンスの追番と同じになるように、利用者カード５内のロックＩＤシーケンスを更新する（ＳＴ２５）
【００６０】
制御部３ｄは、利用者カード５のロックＩＤシーケンスの追番＞専有部カードロック３の追番であると判断すると（通常は発生しない異常な操作）、利用者カード５のロックＩＤシーケンスの追番≠専有部カードロック３のロックＩＤシーケンスの追番のままロックＩＤシーケンスの更新を行わず（ＳＴ２６）、例えば表示やブザーなどで異常を告知する。
【００６１】
そして、続けて他の利用者カード５を更新する場合には（ＳＴ２７−Ｙｅｓ）、ＳＴ２１の処理に戻る。これに対し、続けて他の利用者カード５を更新しない場合には（ＳＴ２７−Ｎｏ）、操作部３ｂにより「ロックＩＤシーケンス更新」を完了操作する（ＳＴ２８）
【００６２】
次に、共用部カードロック２と専有部カードロック３における利用者カード認証処理の動作について図５を参照しながら説明する。尚、図５におけるカードロックとは、共用部カードロック２又は専有部カードロック３を示すものである。ここでは、共用部カードロック２として説明する。
【００６３】
（利用者カード認証処理）
リーダー／ライター部２ａは、利用者カード５が翳されると、その利用者カード５から情報を読み取る（ＳＴ３１）。そして、制御部２ｄは、リーダー／ライター部２ａが利用者カード５から読み取った情報にロックＩＤが存在するか判別する（ＳＴ３２）。
【００６４】
制御部２ｄは、利用者カード５から読み取った情報にロックＩＤが存在しないと判断すると、処理を終了する。これに対し、制御部２ｄは、利用者カード５から読み取った情報にロックＩＤが存在すると判断すると、そのロックＩＤが記憶部２ｃのロックＩＤと一致するか否かを判別する（ＳＴ３３）。
【００６５】
制御部２ｄは、利用者カード５から読み取ったロックＩＤが記憶部２ｃのロックＩＤと一致しないと判断すると、処理を終了する。これに対し、制御部２ｄは、利用者カード５から読み取ったロックＩＤが記憶部２ｃのロックＩＤと一致すると判断すると、利用者カード５のロックＩＤシーケンスの追番と共用部カードロック２のロックＩＤシーケンスの追番との関係を判別する（ＳＴ３４）
【００６６】
制御部２ｄは、利用者カード５のロックＩＤシーケンスの追番＝共用部カードロック２のロックＩＤシーケンスの追番であると判断すると、共用部カードロック２の錠前を解錠する（ＳＴ３５）。
【００６７】
尚、電気錠システム１で履歴管理したい場合には、ロックＩＤシーケンスの追番に付加される枝番まで読み取り、履歴として記憶部２ｃに記憶して保存する。
【００６８】
また、専有部カードロック３でロックＩＤを書き込まれ、枝番がついていない利用者カード５を共用部カードロック２が読み取った場合は、枝番を採番して付加する。
【００６９】
制御部２ｄは、利用者カード５のロックＩＤシーケンスの追番＜共用部カードロック２の追番であると判断すると、処理を終了する。
【００７０】
制御部２ｄは、例えば専有部カードロック３の交換時、専有部カードロック３で利用者カード５のロックＩＤシーケンス更新処理後に共用部カードロック２を使用した時などで、利用者カード５のロックＩＤシーケンスの追番＞共用部カードロック２のロックＩＤシーケンスの追番であると判断すると、利用者カード５のロックＩＤシーケンスの追番＝共用部カードロック２のロックＩＤシーケンスの追番＋α（αは任意の自然数）とし、共用部カードロック２のロックＩＤシーケンスの追番が利用者カード５のロックＩＤシーケンスの追番と同じになるように、共用部カードロック２内のロックＩＤシーケンスを更新する（ＳＴ３６）。
【００７１】
尚、上述した「利用者カード認証処理」において、制御部２ｄが利用者カード５のロックＩＤシーケンスの追番＝共用部カードロック２のロックＩＤシーケンスの追番であると判断したときに、共用部カードロック２や専有部カードロック３の錠前を施錠することもできる。
【００７２】
次に、専有部カードロック３における利用者カード５の追加発行処理の動作について図６を参照しながら説明する。
【００７３】
（利用者カード追加発行処理）
まず、操作部３ｂにより「利用者カード追加発行処理」を開始操作する（ＳＴ４１）。続いて、リーダー／ライター部３ａは、ロックカード４が翳されると、そのロックカード４からロックＩＤを読み取る（ＳＴ４２）。そして、制御部３ｄは、リーダー／ライター部３ａがロックカード４から読み取ったロックＩＤが記憶部３ｃのロックＩＤと一致するか否かを判別する（ＳＴ４３）
【００７４】
制御部３ｄは、ロックカード４から読み取ったロックＩＤが記憶部３ｃのロックＩＤと一致しないと判断すると、処理を終了する。これに対し、制御部３ｄは、ロックカード４から読み取ったロックＩＤが記憶部３ｃのロックＩＤと一致すると判断すると、リーダー／ライター部３ａにより利用者カード５から情報を読み取る（ＳＴ４４）。そして、制御部３ｄは、リーダー／ライター部３ａが利用者カード５から読み取った情報にロックＩＤが既に書き込み済か否かを判別する（ＳＴ４５）。
【００７５】
制御部３ｄは、利用者カード５から読み取った情報にロックＩＤが既に書き込み済ではないと判断すると、ＳＴ４７に移行する。これに対し、制御部３ｄは、利用者カード５から読み取った情報にロックＩＤが既に書き込み済ではないと判断すると、リーダー／ライター部３ａにより専有部カードロック３の記憶部３ｂに記憶されているロックＩＤをロックＩＤを利用者カード５に書き込む（ＳＴ４６）。
【００７６】
尚、ロックＩＤには、専有部カードロック３の現在のロックＩＤシーケンスの追番を付加する。また、電気錠システム１で履歴管理する場合には、追加発行した利用者カード５を共用部カードロック２で利用した際に、ロックＩＤのロックＩＤシーケンスの追番に枝番を付加して利用者カード５に書き込まれる。
【００７７】
続けて他の利用者カード５を追加発行する場合には（ＳＴ４７−Ｙｅｓ）、ＳＴ４４の処理に戻る。これに対し、続けて他の利用者カード５を追加発行しない場合には（ＳＴ４７−Ｎｏ）、操作部３ａにより「利用者カード追加発行処理」の完了操作を行う（ＳＴ４８）。
【００７８】
このように、本例の電気錠システム１によれば、システム導入時に、施工者が各住戸の専有部カードロック３に出向いて利用者カード５を登録して回る必要がなく、情報登録作業の手間が省け、各住戸ナンバーとロックＩＤとを１対１に対応付けた状態で共用部カードロック２や外付けの管理パソコンにより一括管理（登録）することができる。
【００７９】
また、電気錠システム１を導入した後、ロックカード４を各住戸毎に配布することにより、利用者が利用者カード５を紛失した場合や利用者カード５を新たに追加したい場合でも、利用者自身による紛失カードの無効化及び利用者カード５の追加が可能になり、都度管理者（専門業者）に作業を依頼する必要がなくなる。
【００８０】
すなわち、本例の電気錠システム１によれば、共用部カードロック２は、ロックカード４を用いた図２の「ロックＩＤ登録処理」により、ロックカード４から読み取ったロックＩＤを住戸ナンバーと対応付けて記憶部２ｃに記憶し、この記憶部２ｃに記憶されたロックＩＤを利用者カード５の記憶部５ａに書き込んでいる。これにより、各住戸毎の利用者カード５のロックＩＤの登録を共用部カードロック２で一括して行うことができる。
【００８１】
また、専有部カードロック３は、ロックカード４を用いた図３及び図４の「ロックＩＤシーケンス更新処理」により、自身のロックＩＤのロックＩＤシーケンスの追番を更新することができる。その際、専有部カードロック３から利用者カード５内のロックＩＤシーケンスの追番を書き換えて更新することもできる。これにより、専有部カードロック３は、以降、古い追番のロックＩＤが記憶された利用者カード５から情報を読み取っても解錠動作を行わないので、利用者が利用者カード５を紛失した場合でも、紛失した古い追番のロックＩＤが記憶された利用者カード５を用いて錠前が不用意に解錠されるのを防ぐことができる。。
【００８２】
さらに、共用部カードロック２は、図５の「利用者カード認証処理」により、自身が記憶しているロックＩＤと一致し、かつ新しい追番のロックＩＤを読み取ったときに、該当するロックＩＤの追番を更新することができる。これにより、共用部カードロック２は、以降、古い追番のロックＩＤが記憶された利用者カード５から情報を読み取っても解錠動作は行わないので、利用者が利用者カード５を紛失場合でも、紛失した古い追番のロックＩＤが記憶された利用者カード５を用いて錠前が不用意に解錠されるのを防ぐことができる。
【００８３】
また、専有部カードロック３は、ロックカード４を用いた図６の「利用者カード追加発行処理」により、ロックＩＤが書き込まれていない利用者カード５に対し、自身のロックＩＤを書き込み、必要に応じて利用者カードを追加発行することができる。そして、「利用者カード追加発行処理」によってロックＩＤが書き込まれた利用者カード５は、追加カードとして共用部カードロック２及び専有部カードロック３で使用することができる。
【符号の説明】
【００８４】
１  電気錠システム
２  共用部カードロック
２ａ  リーダー／ライター部
２ｂ  操作部
２ｃ  記憶部
２ｄ  制御部
３  専有部カードロック
３ａ  リーダー／ライター部
３ｂ  操作部
３ｃ  記憶部
３ｄ  制御部
４  ロックカード
４ａ  記憶部
５  利用者カード
５ａ  記憶部
【図１】
2014173292.tif 000003
【図２】
2014173292.tif 000004
【図３】
2014173292.tif 000005
【図４】
2014173292.tif 000006
【図５】
2014173292.tif 000007
【図６】
2014173292.tif 000008